(57)【要約】【課題】反射型の機能を維持しながら透過型の役割を果たせるように、反射型領域と透過型領域を各画素（セル）毎に作りこみ、反射率及び透過率の対印加電圧特性を高めて、高コントラスト比、良好な色特性、広視野角、低消費電力の性能を有する、高生産性、高収率の半透過型液晶表示装置を提供する。【解決手段】液晶層の位相遅延値が０．２４〜０．２７μｍ、上部位相フィルムはλ／４位相補償機能を有し光軸が１４０〜１４６°、上部配向膜の配向角度が４０〜５０°、下部配向膜の配向角度が−１０〜−２０°、上部偏光板の透過軸の角度が１０４〜１２２．５°である反射型液晶表示領域と、液晶層の位相遅延値が０．２４〜０．４０μｍ、下部位相フィルムはλ／４位相補償機能を有し光軸が５０〜６４°、下部偏光板の透過軸の角度が１００〜１１０°である透過型液晶表示領域を具備する。【選択図】図３
2004318057.tif 000002
【特許請求の範囲】
【請求項１】
反射電極及び下部配向膜を具備した下部基板と、カラーフィルター及び上部配向膜を具備した上部基板と、前記上部及び下部基板の間に介された液晶層と、各々前記上部及び下部基板の外側面上に配置されて、線偏光を円偏光に変換する上部及び下部位相フィルムと、各々前記上部及び位相フィルム上に付着されて、外部から入射された自然光を線偏光に変換する上部及び下部偏光板と、からなり、前記反射電極を有する反射型液晶表示領域と、前記反射電極を有しない透過型液晶表示領域を含む、半透過型液晶表示装置において、
前記反射型液晶表示領域においては、
（ａ）前記液晶層の位相遅延値（ｄΔｎ）は０．２４μｍ以上、０．２７μｍ以下であり、
（ｂ）前記上部位相フィルムはλ／４位相補償機能を有し、その光軸が１４０°以上、１４６°以下であり、
（ｃ）前記上部配向膜の配向角度は水平ラインに対して４０°以上、５０°以下であり、
（ｄ）前記下部配向膜の配向角度は水平ラインに対して−１０°以下、−２０°以上であり、
（ｅ）前記上部偏光板の透過軸の角度は１０４°以上、１２２．５°以下であり、
前記透過型液晶表示領域においては、
（ｆ）前記液晶層の位相遅延値（ｄΔｎ）は０．２４μｍ以上、０．４０μｍ以下であり、
（ｇ）前記下部位相フィルムはλ／４位相補償機能を有し、その光軸が５０°以上、６４°以下であり、
（ｈ）前記下部偏光板の透過軸の角度は１００°以上、１１０°以下である、
ことを特徴とする半透過型液晶表示装置。
【請求項２】
前記反射型液晶表示領域と透過型液晶表示領域の比率は５：５であることを特徴とする請求項１に記載の半透過型液晶表示装置。
【請求項３】
前記上部位相フィルムの位相値は前記下部位相フィルムの位相値より５ｎｍ大きいことを特徴とする請求項１又は２に記載の半透過型液晶表示装置。
【請求項４】
前記上部及び下部偏光板は半反射処理されることを特徴とする請求項１ないし３のいずれかに記載の液晶表示素子。
【請求項５】
前記上部及び下部偏光板は半反射及びアンチ−グレア処理されることを特徴とする請求項１ないし４のいずれかに記載の液晶表示素子。
【請求項６】
前記液晶層はツイスト角が６０°であるツイストネマティック液晶からなることを特徴とする請求項１ないし５のいずれかに記載の半透過型液晶表示装置。
【請求項７】
反射電極及び下部配向膜を具備した下部基板と、カラーフィルター及び上部配向膜を具備した上部基板と、前記上部及び下部基板の間に介された液晶層と、前記下部基板の外側面上に配置されて線偏光を円偏光に変換する下部位相フィルムと、各々前記上部及び下部位相フィルム上に付着されて、外部から入射された自然光を線偏光に変換する上部及び下部偏光板と、からなり、前記反射電極を有する反射型液晶表示領域と、前記反射電極を実質的に有しない透過型液晶表示領域を含む、半透過型液晶表示装置において、
前記反射型液晶表示領域においては、
（ａ）前記液晶層の位相遅延値（ｄΔｎ）は０．２４μｍ以上、０．２７μｍ以下であり、
（ｃ）前記上部配向膜の配向角度は水平ラインに対して４０°以上、５０°以下であり、
（ｄ）前記下部配向膜の配向角度は水平ラインに対して−１０°以下、−２０°以上であり、
（ｅ）前記上部偏光板の透過軸の角度は１０４°以上、１２２．５°以下であり、
前記透過型液晶表示領域においては、
（ｆ）前記液晶層の位相遅延値（ｄΔｎ）は０．２４μｍ以上、０．４０μｍ以下であり、
（ｇ）前記下部位相フィルムはλ／４位相補償機能を有し、その光軸が５０°以上、６４°以下であり、
（ｈ）前記下部偏光板の透過軸の角度は水平ラインに対して１００°以上、１１０°以下であり、
前記上部基板は、λ／４位相補償機能を有し、５５０ｎｍで円偏光を示すガラス基板である、
ことを特徴とする半透過型液晶表示装置。
【請求項８】
前記反射型液晶表示領域と透過型液晶表示領域の比率は５：５であることを特徴とする請求項７に記載の半透過型液晶表示装置。
【請求項９】
前記下部位相フィルムの位相値は、λ／４位相フィルム及びλ／２位相フィルムとを所定の角度を有して配置されることを特徴とする請求項７又は８に記載の半透過型液晶表示装置。
【請求項１０】
前記λ／４位相フィルムの光軸及び前記λ／２位相フィルムの光軸を、各々、８５°以上１００°以下、５°以上２０°以下、の角度にして配列することを特徴とする請求項９に記載の半透過型液晶表示装置。
【請求項１１】
前記液晶層はツイスト角が６０°であるツイストネマティック液晶からなることを特徴とする請求項７ないし１０のいずれかに記載の半透過型液晶表示装置。
【発明の詳細な説明】
【技術分野】
【０００１】
本発明は半透過型液晶表示装置に係り、より具体的には光学素子の設計を最適化することにより、広い視野角、生産性向上及び低消費電力、高い収率を確保することができる半透過型液晶表示装置に関するものである。
【背景技術】
【０００２】
液晶表示装置は大きく透過型液晶表示装置と反射型液晶表示装置に区分される。前記透過型液晶表示装置はバックライトから照射された光を表示に利用するものであり、ワードプロセッサー、ノート型パソコンなどのディスプレーに広く使われている。しかし、このような透過型液晶表示装置を屋外等、それへの入射光強度が高い環境下で使用すると、正常な表示動作を提供できない。
【０００３】
一方、前記反射型液晶表示装置は外光を反射して表示に利用するものであり、バックライトを有しないために透過型のそれと比較して消費電力が小さい。したがって、反射型液晶表示装置は、携帯機器の急速な普及に伴い、それらのディスプレーとして広く注目を集めている。
【０００４】
このような反射型液晶表示装置は一般に、下部基板、反射電極、下部配向膜、液晶層、上部配向膜、上部透明電極、カラーフィルター、上部基板、光学補償フィルム（位相フィルム）、偏光板を含んで構成される。その際、上部基板と下部基板は所定の間隔で配置され、液晶は上部基板と下部基板との間に注入される。また、反射型液晶表示素子に使用される液晶の相（ｐｈａｓｅ）はネマティック（ｎｅｍａｔｉｃ）、コレストリック  （ｃｈｏｌｅｓｔｒｉｃ）などがあって、ネマティック相を利用した場合液晶の分子配列はあらゆる液晶分子が上部及び下部基板面に対してほとんど水平（ｈｏｍｏｇｅｎｅｏｕｓ）または垂直（ｈｏｍｅｏｔｒｏｐｉｃ）に配列されていて、その配列方位は所定角度で連続的にねじられているツイステッド（ｔｗｉｓｔｅｄ）形態である。
【０００５】
このような前記反射型液晶表示装置の表示は、その光学的性質により次のように具現化する。
電圧の無印加時には、偏光板を通過しながら線偏光された光は位相フィルムを通過して円形偏光、例えば、左円偏光に変わって、この光は液晶層を通過しながら再び線形偏光に変わって反射板で反射される。このように反射板で反射された線偏光の光は再び液晶層を通過しながら左円偏光に変わった後に位相フィルムを通過して偏光方向が偏光板の偏光軸に平行した線偏光に変形されて偏光板を通過し、これにより、ホワイト（ｗｈｉｔｅ）の状態が具現化する。
【０００６】
一方、電圧印加時には、偏光板と位相フィルムを通過して左円偏光に変形された光は何らの変化なしに液晶層をそのまま通過して反射板で反射されて右円偏光に変わる。このような右円偏光された光は再び液晶層と位相フィルムを通過して偏光方向が偏光板の偏光軸と垂直である線偏光に変形されるので偏光板を通過できなくなって、これにより、ダーク（ｄａｒｋ）状態が具現する。
【０００７】
前記のような反射型液晶表示装置において、表示画面の良し悪しは各構成要素の特性値をどのように最適化するかに左右される。すなわち、反射型液晶表示装置での効率的な反射率増大のためには、偏光板の透過軸の角度、位相フィルムの光学特性、液晶層の厚さ（ｄ）、液晶層の位相遅延値（ｄΔｎ）、液晶のツイスト角、配向膜の配向角度、及び反射板の特性などが最適化されなければならない。
【０００８】
図１は、従来技術による反射型液晶表示装置を説明するための断面図である。
従来技術による反射型液晶表示装置は、図１に示すように、反射電極１１及び下部配向膜１２を具備する下部基板１０と、カラーフィルター１４及び上部配向膜１５を具備する上部基板１３と、下部基板１０及び上部基板１３との間に介された液晶層１６と、上部基板１３の外側面上に順に配置されたλ／４位相フィルム１７及び偏光板１８と、を含む構造を有する。ここで、前記λ／４位相フィルム１７はλ／４の位相差を有する光の光学的補償のための一軸性フィルムである。
【０００９】
前記構造を有する、従来技術による反射型液晶表示装置はツイスト角が９０度であり、λ／４位相フィルム１７の光軸と偏光板１８の偏光軸とは４５度をなす。
【００１０】
しかし、従来の反射型液晶表示装置は表示特性が良くないという問題点があった。それは、セル設計を最適化するために２枚のλ／４フィルムを使用する場合には反射率が低下し、他方、前記反射率の低下を防止するために１枚のλ／４フィルムを使用する場合には可視光波長の全域でλ／４の位相差を付与する機能が正常に果たせなかった。
【００１１】
さらに、従来の反射型液晶表示装置はセルギャップが非常に小さいので、実際工程に適用した場合、収率が低くなるという問題点がある。
【特許文献１】再公表特許  再表９９／００４３１４
【発明の開示】
【発明が解決しようとする課題】
【００１２】
本発明は、前記従来技術による反射型液晶表示装置の問題点を解決するために創出されたものであり、別々に設計した反射型液晶表示領域と透過型液晶表示領域を、各画素（セル）毎に作りこむことによって、反射型液晶表示素子の機能を維持しながら透過型液晶表示素子の役割を遂行することができる半透過型液晶表示装置を提供することにその目的がある。
【課題を解決するための手段】
【００１３】
前記目的を達成するためになされた本発明による半透過型液晶表示装置は、好ましくは請求項１に係り、反射電極及び下部配向膜を具備した下部基板と、カラーフィルター及び上部配向膜を具備した上部基板と、前記上部及び下部基板の間に介された液晶層と、各々前記上部及び下部基板の外側面上に配置されて、線偏光を円偏光に変換する上部及び下部位相フィルムと、各々前記上部及び位相フィルム上に付着されて、外部から入射された自然光を線偏光に変換する上部及び下部偏光板と、からなり、前記反射電極を有する反射型液晶表示領域と、前記反射電極を実質的に有しない透過型液晶表示領域を含む、半透過型液晶表示装置において、
前記反射型液晶表示領域においては、
（ａ）前記液晶層の位相遅延値（ｄΔｎ）は０．２４〜０．２７μｍであり、
（ｂ）前記上部位相フィルムはλ／４位相補償機能を有し、その光軸の角度は水平ラインに対して１４０〜１４６°であり、
（ｃ）前記上部配向膜の配向角度は水平ラインに対して４０〜５０°であり、
（ｄ）前記下部配向膜の配向角度は水平ラインに対して−１０〜−２０°であり、
（ｅ）前記上部偏光板の透過軸の角度は水平ラインに対して１０４〜１２２．５°であり、
前記透過型液晶表示領域においては、
（ｆ）前記液晶層の位相遅延値（ｄΔｎ）は０．２４〜０．４０μｍであり、
（ｇ）前記下部位相フィルムはλ／４位相補償機能を有し、その光軸の角度は水平ラインに対して５０〜６４°であり、
（ｈ）前記下部偏光板の透過軸の角度は水平ラインに対して１００〜１１０°である、
ことを特徴とする。
【００１４】
好ましくは請求項２に係り、セル（画素）領域の各々における前記反射型液晶表示領域と透過型液晶表示領域の比率は５：５であることを特徴とする。
【００１５】
好ましくは請求項３に係り、前記上部位相フィルムの位相値は前記下部位相フィルムの位相値より５ｎｍ大きいことを特徴とする。
【００１６】
好ましくは、前記反射型液晶表示領域及び透過型液晶表示領域間の境界面の傾斜角は０〜８０°であることを特徴とする。
【００１７】
好ましくは請求項４に係り、前記上部及び下部偏光板は半反射処理されることを特徴とする。
【００１８】
好ましくは請求項５に係り、前記上部及び下部偏光板は半反射及びアンチ−グレア（ａｎｔｉ−ｇｌａｒｅ）処理されることを特徴とする。
【００１９】
好ましくは請求項６に係り、前記液晶層はツイスト角が６０°であるツイストネマティック液晶からなることを特徴とする。
【００２０】
前記目的を達成するためになされた本発明による半透過型液晶表示装置は、好ましくは請求項７に係り、  反射電極及び下部配向膜を具備した下部基板と、カラーフィルター及び上部配向膜を具備した上部基板と、前記上部及び下部基板の間に介された液晶層と、前記下部基板の外側面上に配置されて線偏光を円偏光に変換する下部位相フィルムと、各々前記上部及び下部位相フィルム上に付着されて、外部から入射された自然光を線偏光に変換する上部及び下部偏光板と、からなり、前記反射電極を有する反射型液晶表示領域と、前記反射電極を実質的に有しない透過型液晶表示領域を含む、半透過型液晶表示装置において、
前記反射型液晶表示領域においては、
（ａ）前記液晶層の位相遅延値（ｄΔｎ）は０．２４〜０．２７μｍであり、
（ｃ）前記上部配向膜の配向角度は水平ラインに対して４０〜５０°であり、
（ｄ）前記下部配向膜の配向角度は水平ラインに対して−１０〜−２０°であり、
（ｅ）前記上部偏光板の透過軸の角度は水平ラインに対して１０４〜１２２．５°であり、
前記透過型液晶表示領域においては、
（ｆ）前記液晶層の位相遅延値（ｄΔｎ）は０．２４〜０．４０μｍであり、
（ｇ）前記下部位相フィルムはλ／４位相補償機能を有し、その光軸の角度は水平ラインに対して５０〜６４°であり、
（ｈ）前記下部偏光板の透過軸の角度は水平ラインに対して１００〜１１０°であり、
前記上部基板は、λ／４位相補償機能を有し、少なくとも波長５５０ｎｍで円偏光を示すガラス基板である、
ことを特徴とする。
【００２１】
好ましくは請求項８に係り、前記反射型液晶表示領域と透過型液晶表示領域の比率は５：５であることを特徴とする。
【００２２】
好ましくは請求項９に係り、前記下部位相フィルムはある位相値を有し、その位相値によって、λ／４位相フィルム及びλ／２位相フィルムが所定の角度をなして配置されることを特徴とする。
【００２３】
好ましくは請求項１０に係り、前記λ／４位相フィルムの光軸及び前記λ／２位相フィルムの光軸の水平ラインに対してなす角度を、各々、８５〜１００°、５〜２０°、にして配列することを特徴とする。
【００２４】
好ましくは請求項１１に係り、前記液晶層はツイスト角が６０°であるツイストネマティック液晶からなることを特徴とする。
【発明の効果】
【００２５】
本発明によれば、反射型液晶表示素子の機能を維持しながら透過型液晶表示素子の役割を遂行することができる半透過型液晶表示装置が得られるので、前記液晶表示装置で液晶セルの設計を最適化させることによって電圧による反射率及び透過率を高めてコントラスト比及び色の特性を高めることができるだけでなく、優秀な表示画面を得ることができる。
【００２６】
また、本発明によれば、セルギャップを従来のそれより増加できるので、工程マージンを高め、生産性を向上することができる。
【発明を実施するための最良の形態】
【００２７】
本発明の、以上の、及びその他の、目的、特徴、長所は次に参照する本発明の好適な実施例に対する以下の説明から明確になるであろう。以下、本発明の望ましい実施例を、添付された図面を参照して詳細に説明すると次のようである。
【００２８】
本発明では、反射型液晶表示領域と透過型液晶表示領域を別々に設計して半透過型液晶表示装置を形成しようとするものであり、反射型液晶表示素子の機能を維持しながら透過型液晶表示素子の役割を遂行させねばならない。そこで、特に透過型液晶表示領域での、液晶層の位相遅延値（ｄΔｎ）や位相フィルム及び偏光板の設計が重要になる。
【００２９】
したがって、本発明ではλ／４機能を付与した基板を上部基板として適用し、前記上部基板の光軸に合わせて、上部偏光板透過軸の角度、液晶層の位相遅延値、液晶配向のツイスト角度を決定するラビング角度等、液晶表示素子を構成する要素を最適化して、良い表示画面を具現することができる最適のセル構成をなす。
【実施例１】
【００３０】
図２及び図３は、本発明による一実施例に係る半透過型液晶表示装置を説明するための断面図であり、図２は、全断面を（反射電極の存在する）反射型液晶表示領域について示し、図３は、反射型と透過型液晶表示領域が隣接している液晶セルの構成を、両型の主な相違が存在する反射電極の構造を中心に、概略的に示す断面図である。
【００３１】
また図４は、本発明による一実施例に係る半透過型液晶表示装置における各構成要素の軸配列を示す図面であり、図面中の符号ａ１、ａ２は各々下部及び上部偏光板の透過軸を、符号ｂ１、ｂ２は各々下部及び上部位相フィルムの光軸を、そしてｃ１、ｃ２は各々下部及び上部基板のラビング軸を示すものである。
【００３２】
すなわち図２に示すように、下部基板２０には反射電極２１及び下部配向膜２２が各々具備され、上部基板２３にはカラーフィルター２４及び上部配向膜２５が各々具備され、上部及び下部基板２０，２３との間に液晶層３０が介される。そして、上部基板２３及び下部基板２０の外側面上には、それぞれ上部及び下部位相フィルム２６，２７が配置されて線偏光を円偏光に変換し、前記上部及び下部位相フィルム２６，２７上には、さらに上部及び下部偏光板２８，２９に付着されて外部から入射された自然光を線偏光に変換する。
【００３３】
さらに図３に示すように、液晶セルは、反射電極２１がある反射型液晶表示領域と反射電極が実質的にない透過型液晶表示領域に分れ、前記反射型液晶表示領域と透過型液晶表示領域の比率は５：５を維持して、前記領域間の境界面の傾斜角は０〜８０°をなす。
【００３４】
光学実験を以下の条件下で実施した。上部及び下部基板２３，２０の厚さは１．１ｔ又はそれ以下、屈折率は約１．５３；  上部基板の透明電極の厚さは１５００Å、屈折率は１．９；  上部配向膜の厚さは７５０Å、屈折率は１．６；  反射電極の厚さは１５００Åに固定。
テストパラメータとして、上部及び下部基板の透過角の角度、液晶層の位相遅延値、配向角度を含めた。その結果、最適のセルを構成することができる、構成要素の特性値は次のようである。
【００３５】
液晶層３０は、液晶のツイスト角が６０°であるネマティック液晶からなる。前記反射型液晶表示領域において、位相遅延値（ｄΔｎ）は０．２４〜０．２７μｍであり、上部位相フィルム２８はλ／４位相補償機能を有し、その光軸の角度は水平ラインに対して１４０〜１４６°であり、上部配向膜２５の配向角度は水平ラインに対して４０〜５０°であり、下部配向膜２２の配向角度は水平ラインに対して−１０〜−２０°であり、上部偏光板２８の透過軸の角度は水平ラインに対して１０４〜１２２．５°を有する。
【００３６】
また、前記透過型液晶表示領域において、液晶層の位相遅延値（ｄΔｎ）は０．２４〜０．４０μｍであり、下部位相フィルム２７はλ／４位相補償機能を有し、その光軸の角度は水平ラインに対して５０〜６４°であり、下部偏光板２９の透過軸の角度は水平ラインに対して１００〜１１０°を有する。
【００３７】
ここで、前記上部位相フィルム２６の位相値は前記下部位相フィルム２７の位相値より５ｎｍ程度大きい。
【００３８】
また、前記上部及び下部偏光板２８，２９は半反射処理されるか、あるいは半反射及びアンチ−グレア（ａｎｔｉ−ｇｌａｒｅ）処理が共に実施され、前記上部及び下部配向膜２５，２２は液晶分子を効果的に配向させるためのものであり、液晶との親和性及び基板との密着性を考慮して主に、ポリアミン酸（ｐｏｌｙａｍｉｃ  ａｃｉｄ）とポリイミド（ｐｏｌｙｉｍｉｄｅ）を混合した配向膜を使用する。
【００３９】
一方、前記上部位相フィルム２６は特定の位相差補償機能を持たせるため、ポリカーボネート、ポリオレフィン、ポリビニルアルコール及びポリスチレンのうちいずれか一つの高分子フィルムを一軸延伸（ｍｏｎｏ−ａｘｉａｌ  ｅｘｔｅｎｓｉｏｎ、又はｕｎｉａｘｉａｌ  ｏｒｉｅｎｔａｔｉｏｎ）して作成する。
【００４０】
その上、反射型液晶表示素子の特性を維持しながら透過型液晶表示素子の特性を同時に持たせるため、セルギャップが、透過型の領域の場合、反射型の領域の場合よりも１μｍ程度（図３では１．０５μｍ）大きくなるよう設計する。さらに、一軸性λ／４位相補償機能を有する下部位相フィルムと下部偏光板とを下部基板に付着して、所定の光学特性を得る。前記セルギャップの段差によりラビング（ｒｕｂｂｉｎｇ）中に液晶配向の不均一を最小化し、ディスクリネーションライン（ｄｉｓｃｌｉｎａｔｉｏｎ  ｌｉｎｅ）を無くして効率的なセル特性を有するようになる。
【００４１】
図５は、本実施例による一実施例に係る半透過型液晶表示装置のツイスト角及び位相遅延値を説明するためのグラフである。
【００４２】
本実施例では、液晶層の位相遅延値及び液晶のツイスト角が、従来技術により良い表示画面を具現するとされた設計値の範囲（Ａ、Ｂ）の中間に該当する値（透過型、反射型の領域について、各々破線で囲んだ範囲の値）を有するように設計されている。従って、より良好なコントラスト比及び色の特性を持たせることができ、特に、セルギャップを従来より増加してあることと関連して工程マージンを向上させることができる。
【００４３】
図６ないし図８は、本実施例による一実施例に係る半透過型液晶表示装置での、反射率ないし透過率の電圧依存特性を説明するためのグラフである。ここで、図６は従来技術による反射型液晶表示装置での、反射率の電圧依存特性を示したグラフであり、これに対して、図７及び図８は本実施例の場合（液晶のツイスト角が６０°）での、各々、反射型領域における反射率の電圧依存特性と、透過型領域における透過率の電圧依存特性を示したものである。
【００４４】
図６に示すように、従来技術による反射型液晶表示装置では、電圧を印加しても反射率が完全に０にならない、すなわち、ダーク（ｄａｒｋ）が実現しない。一方、図７及び図８に示すように、本実施例の場合では、反射型、透過型の領域ともに、電圧を印加すると、ダーク状態が実現する。このように、本発明による半透過型液晶表示装置は従来技術によるより優秀な、反射率ないし透過率の電圧依存特性を提供できることが分かる。
【実施例２】
【００４５】
本発明の他の実施例による液晶表示装置では、上記実施例１における上部基板と上部位相フィルムを、λ／４位相補償機能を有し同時に（少なくとも波長５５０ｎｍで）円偏光を示すガラス基板からなる上部基板により置き換え、さらに、上記実施例１における下部位相フィルムを、λ／４位相フィルム及びλ／２位相フィルムを所定角をなして配置した構造の下部位相フィルムにより置き換える。その際、λ／４位相フィルムの光軸の水平ラインに対してなす角度を８５〜１００°とし、λ／２位相フィルムの光軸の水平ラインに対してなす角度を５〜２０°として配置する。
【００４６】
なお液晶層はツイスト角が６０°であるツイストネマティック液晶からなる。
反射型液晶表示領域では、液晶層の位相遅延値（ｄΔｎ）は０．２４〜０．２７μｍであり、上部配向膜の配向角度は水平ラインに対して４０〜５０°であり、また下部配向膜の配向角度は水平ラインに対して−１０〜−２０°であり、上部偏光板の透過軸の角度は１０４〜１２２．５°を有する。
【００４７】
一方、透過型液晶表示領域では、液晶層の位相遅延値（ｄΔｎ）は０．２４〜０．４０μｍであり、下部位相フィルムはλ／４位相補償機能を有し、その光軸の角度は水平ラインに対して５０〜６４°であり、また下部偏光板の透過軸の角度は水平ラインに対して１００〜１１０°を有する。
【００４８】
その他、本発明はその要旨を逸脱しない範囲で多様に変更して実施することができる。
【図面の簡単な説明】
【００４９】
【図１】従来技術による反射型液晶表示装置を説明するための断面図である。
【図２】本発明による一実施例に係る半透過型液晶表示装置を説明するための図面である。
【図３】本発明による一実施例に係る半透過型液晶表示装置を説明するための図面である。
【図４】本発明による一実施例に係る半透過型液晶表示装置での各構成要素の軸配列を図示した図面である。
【図５】本発明による一実施例に係る半透過型液晶表示装置のツイスト角及び位相遅延値を説明するためのグラフである。
【図６】従来技術による反射型液晶表示装置での、反射率の電圧依存特性を示したグラフである。
【図７】本発明による一実施例に係る半透過型液晶表示装置での、反射型領域における反射率の電圧依存特性を示したグラフである。
【図８】本発明による一実施例に係る半透過型液晶表示装置での、透過型領域における透過率の電圧依存特性を示したグラフである。
【符号の説明】
【００５０】
ａ１  下部偏光板の透過軸
ａ２  上部偏光板の透過軸
ｂ１  下部位相フィルムの光軸
ｂ２  上部位相フィルムの光軸
ｃ１  下部基板のラビング軸
ｃ２  上部基板のラビング軸
２０  下部基板
２１  反射電極
２２  下部配向膜
２３  上部基板
２４  カラーフィルター
２５  上部配向膜
２６，２７  上部及び下部位相フィルム
２８，２９  上部及び下部偏光板
３０  液晶層
【図１】
2004318057.tif 000003
【図２】
2004318057.tif 000004
【図３】
2004318057.tif 000005
【図４】
2004318057.tif 000006
【図５】
2004318057.tif 000007
【図６】
2004318057.tif 000008
【図７】
2004318057.tif 000009
【図８】
2004318057.tif 000010